(57)【要約】  【課題】発光装置において、より斬新で多彩な発光パターンを発生させることができ、光を用いた遊技の演出効果を高めることができる、遊技機を提供する。  【解決手段】発光装置６は、発光装置６に内蔵されて光を発する複数るＬＥＤ５０と、複数のＬＥＤ５０により一方向から発せられる光を入射し、入射角度とは異なる角度で照射するプリズム５１と、プリズム５１から照射された光を受けて演出に用いられる光として反射する反射鏡５２と、プリズム５１から照射された光を透過して演出に用いられる光とするレンズ５３とを備え、反射鏡５２及びレンズ５３がプリズム５１を挟むように対向状に配置されている。【選択図】  図１３
2013116187.tif 000002
【特許請求の範囲】
【請求項１】
光を用いる演出を行う発光装置を備えた遊技機において、
前記発光装置に内蔵されて光を発する発光源と、
前記発光源により一方向から発せられる光を入射し、入射角度とは異なる角度で照射する照射部材と、
前記照射部材から照射された光を受けて演出に用いられる光として反射する反射鏡と、
前記照射部材から照射された光を透過して演出に用いられる光とするレンズとを備え、
前記反射鏡及びレンズを、前記照射部材を挟むように対向状に配置したことを特徴とする遊技機。
【請求項２】
前記発光源の周囲に回転自在に設けられ、回転駆動機構により前記照射部材を中心にして回転される回転部材を備え、
前記反射鏡及びレンズが前記回転部材に設けられたことを特徴とする請求項１に記載の遊技機。
【発明の詳細な説明】
【技術分野】
【０００１】
本発明は遊技機に関し、特に、光を用いる演出を行う発光装置に関する。
【背景技術】
【０００２】
従来より、遊技球を用いて遊技を行うパチンコ遊技機には、遊技盤が装着された枠体と、この枠体に開閉自在に支持されて閉位置で遊技盤の盤面をカバーする透明板を有する開閉体とが設けられている。開閉体には貯留皿と発射ハンドルが設けられ、発射ハンドルが回動操作されると、貯留皿に貯留されている遊技球が遊技盤に打ち出される。
【０００３】
近年主流のパチンコ遊技機においては、開閉体に枠ランプが装備され、遊技盤に盤ランプが装備されている。これらのランプは、夫々、開閉体、遊技盤に光透過カバーを固定的に設け、この光透過カバーの裏側に複数のＬＥＤを配設した構造になっている。これらランプを含む種々の発光装置により、遊技の進行に応じて当該遊技に伴う光を用いる演出が行われる。一方、可動体の位置や姿勢を変化させることができる可動役物装置を備えたものが多く、この可動体にも発光装置は搭載されている（例えば、特許文献１参照）。
【０００４】
ところで、特許文献２の第１の実施例（図４）には、透明板、プリズムシート、多数の半球状凹部が前後両面部に形成された光透過板、複数のＬＥＤ、複数のＬＥＤを前面に実装した基板を、この順番で前方から後方へ並べて配置し、筒状のハウジングケースに収容状に装着した発光装置が開示されている。透明板、光透過板、基板がハウジングケースに固定され、プリズムシートが前後軸心回りに回転駆動される。
【０００５】
また、特許文献２の第２の実施例（図９）には、透明板、スクリュー状レンズ、カットグラス模様部を前面部に夫々有する第１，第２光透過板、複数のＬＥＤ、複数のＬＥＤを前面に実装した基板を、この順番で前方から後方へ並べて配置し、筒状のハウジングケースに収容状に装着した発光装置が開示されている。透明板、第２光透過板、基板がハウジングケースに固定され、スクリュー状レンズ、第２光透過板が独立に回転駆動される。
【先行技術文献】
【特許文献】
【０００６】
【特許文献１】特開２０１１−２１２０５１号公報
【特許文献２】特開２００８−１６１４５７号公報
【発明の概要】
【発明が解決しようとする課題】
【０００７】
従来のパチンコ遊技機において、開閉体に装備された枠ランプや、遊技盤に装備された盤ランプ等の発光装置では、開閉体や遊技盤等に光透過カバーが固定的に設けられ、この光透過カバーの裏側に複数のＬＥＤが配設されているが、光透過カバーの形状や色を変更しても、また、ＬＥＤの数や配置を変更しても、斬新で多彩な発光パターンを発生させようとすることに限界がある。
【０００８】
そこで、パチンコ遊技機の発光装置において、レンズや反射鏡を用いることは一般的に知られているが、本願出願人は、レンズ及び反射鏡に加えてプリズムを設け、更に、これらレンズ、反射鏡、及びプリズムの位置関係により、より斬新で多彩な発光パターンを発生させ得るよう着想して、本願発明に至った。
【０００９】
本発明の目的は、発光装置において、より斬新で多彩な発光パターンを発生させることができる、遊技機を提供することである。
【課題を解決するための手段】
【００１０】
第１の発明（遊技機）は、光を用いる演出を行う発光装置(6) を備えた遊技機(1) において、前記発光装置(6) に内蔵されて光を発する発光源(50)と、前記発光源(50)により一方向から発せられる光を入射し、入射角度とは異なる角度で照射する照射部材(51)と、前記照射部材(51)から照射された光を受けて演出に用いられる光として反射する反射鏡(52)と、前記照射部材(51)から照射された光を透過して演出に用いられる光とするレンズ(53)とを備え、前記反射鏡(52)及びレンズ(53)を、前記照射部材(51)を挟むように対向状に配置したことを特徴とする。
【００１１】
第２の発明は、第１の発明において、前記発光源(50)の周囲に回転自在に設けられ、回転駆動機構(45)により前記照射部材(51)を中心にして回転される回転部材(57)を備え、前記反射鏡(52)及びレンズ(53)が前記回転部材(57)に設けられたことを特徴とする。
【発明の効果】
【００１２】
本発明（遊技機）によれば、発光装置において、反射鏡及びレンズを照射部材を挟むように対向状に配置したことにより、これら反射鏡、レンズ、及び照射部材の相乗効果により、より斬新で多彩な発光パターンを発生させることができ、光を用いた遊技の演出効果を高めることができる。
【図面の簡単な説明】
【００１３】
【図１】１対の発光装置が後退位置にある状態のパチンコ遊技機の正面図である。
【図２】１対の発光装置が進出位置にある状態のパチンコ遊技機の正面図である。
【図３】パチンコ遊技機の制御系のブロック図である。
【図４】発光装置の斜視図である。
【図５】発光装置の正面図である。
【図６】発光装置の背面図である。
【図７】発光装置の平面図である。
【図８】発光装置の底面図である。
【図９】発光装置の左側面図である。
【図１０】発光装置の右側面図である。
【図１１】可動発光装置の斜視図である。
【図１２】可動発光装置の側面図である。
【図１３】可動発光装置の分解斜視図である。
【図１４】可動発光装置の回転駆動機構の斜視図である。
【図１５】発光装置駆動機構の斜視図である。
【図１６】第１，第２動力伝達部材の斜視図である。
【発明を実施するための形態】
【００１４】
以下、発明を実施するための形態について実施例に基づいて説明する。
【実施例】
【００１５】
図１、図２に示すように、パチンコ遊技機１には、遊技ホールの島構造体に取付けられる外枠２に開閉枠３（内枠３）が開閉可能に装着され、この開閉枠３に開閉扉４が開閉可能に装着されている。開閉扉４に窓４ａが形成され、その窓４ａに透明板４ｂが装着されている。開閉枠３に遊技球が打ち出される盤面を有する遊技盤５が装着され、この遊技盤５の盤面とその前側の透明板４ｂとの間に遊技球が流下可能な遊技領域５ａが形成されている。尚、外枠２及び開閉枠３、又は開閉枠３が枠体に相当し、開閉扉４が開閉体に相当する。
【００１６】
外枠２の左端部に開閉枠３の左端部が鉛直軸心回りに回動自在に支持され、開閉枠３は外枠２に対して閉じられた閉位置で外枠２に施錠される。開閉枠３の左端部に開閉扉４の左端部が鉛直軸心回りに回動自在に支持され、開閉扉４は開閉枠３に対して閉じられた閉位置で開閉枠３に施錠され遊技盤５の盤面（遊技領域５ａ）をカバーする。開閉扉４の右端下部に、開閉枠３を外枠２から施錠解除し、また開閉扉４を開閉枠３から施錠解除する為にキー操作されるキーシリンダ４ｃが装着されている。
【００１７】
開閉扉４の上部に左右１対の発光装置６（可動演出装置６）が装備されている。開閉扉４の下部（窓４ａの下側部分）に遊技球を貯留する貯留皿８（上皿８ａと下皿８ｂ）を有する皿ユニット７が設けられ、その皿ユニット７に、遊技者が押下操作可能な演出ボタン９ａを有する演出ボタン装置９と、下皿８ｂに貯留された遊技球を遊技機外部へ排出する排出装置１０とが装備されている。
【００１８】
皿ユニット７の右下側に発射ハンドル１１が配設され、この発射ハンドル１１が回動操作されると、上皿８ａから球送り装置（図示略）により発射位置に導入された遊技球が発射装置（図示略）により発射される。上皿８ａに複数の遊技球が貯留されている場合、複数の遊技球が約０．６秒間隔で連続的に発射される。発射された遊技球はガイドレール１１ａにより案内され遊技領域５ａの上部に導入される。
【００１９】
図１〜図３に示すように、遊技盤５の遊技領域５ａに、多数の障害釘１２の他、第１始動口１３、開閉式の第２始動口１４ａを有する第２始動口装置１４、１対のゲート１５、開閉式の第１大入賞口１６ａを有する第１大入賞口装置１６、開閉式の第２大入賞口１７ａを有する第２大入賞口装置１７、複数（４つ）の一般入賞口１８が、夫々遊技球が入賞（通過）可能に図示の配置で設けられている。
【００２０】
第１始動口１３、１対のゲート１５、複数の一般入賞口１８に、夫々、そこに入賞した遊技球を検出する第１始動口ＳＷ１３ａ、１対のゲートＳＷ１５ａ、複数の一般入賞口ＳＷ１８ａ（「ＳＷ」はスイッチを意味する）が付設されている。第２始動口装置１４は、第２始動口１４ａ、第２始動口１４ａを開閉する開閉部材１４ｂ、第２始動口１４ａに入賞した遊技球を検出する第２始動口ＳＷ１４ｃ、開閉部材１４ｂを開閉駆動する第２始動口ＳＯＬ１４ｄ（「ＳＯＬ」はソレノイドアクチュエータを意味する）を有する。
【００２１】
第１，第２大入賞口装置１６，１７は、夫々、第１，第２大入賞口１６ａ，１７ａ、第１，第２大入賞口１６ａ，１７ａを開閉する第１，第２開閉部材１６ｂ，１７ｂ、第１，第２大入賞口１６ａ，１７ａに入賞した遊技球を検出する第１，第２大入賞口ＳＷ１６ｃ，１７ｃ、第１，第２開閉部材１６ｂ，１７ｂを開閉駆動する第１，第２大入賞口ＳＯＬ１６ｄ，１７ｄを有する。遊技球が入賞口１３，１４ａ，１６ａ，１７ａ，１８の何れかに入賞した場合、遊技球１個の入賞につき入賞口１３，１４ａ，１６ａ，１７ａ，１８毎に設定された数の遊技球が貯留皿８に払出される。
【００２２】
遊技球が始動口１３，１４ａの何れかに入賞したことを契機に大当り抽選が行われ、その大当り抽選で当選した場合、第１，第２大入賞口装置１６，１７の何れかが作動して、通常は閉塞の第１，第２大入賞口１６ａ，１７ａの何れかを開放する大当り遊技を発生させる。遊技球が１対のゲート１５の何れかを通過したことを契機に当り抽選が行われ、その当り抽選で当選した場合、第２始動口装置１４が作動して、通常は閉塞の第２始動口１４ａを開放する補助遊技を発生させる。
【００２３】
遊技盤５にセンタ役物２０が取付けられ、このセンタ役物２０に画像表示器２１と可動役物装置２２が装備されている。画像表示器２１はその画面がセンタ役物２０の枠体内側から前方へ臨むように配置され、この画像表示器２１に大当り抽選を演出する遊技演出等が表示される。可動役物装置２２は、大当り抽選に関する報知（大当り抽選の当選期待度が高い旨等の報知等）を行うために作動して、例えば、可動役物２２ａを画像表示器２１の画面近傍位置において遊技盤５の盤面と平行な方向へ移動させる。
【００２４】
遊技盤５の左下部に遊技表示盤２３が装備され、この遊技表示盤２３に、第１特図表示器２３ａ、第２特図表示器２３ｂ、普図表示器２３ｃ、第１特図保留ランプ２３ｄ、第２特図保留ランプ２３ｅ、普図保留ランプ２３ｆが設けられている。
【００２５】
第１特図表示器２３ａに第１特別図柄が変動可能に表示され、第１特図保留ランプ２３ｄに第１特図保留数が表示され、その第１特図保留数は４未満の場合に第１始動口１３に遊技球が入賞する毎に１加算される。第２特図表示器２３ｂに第２特別図柄が変動可能に表示され、第２特図保留ランプ２３ｅに第２特図保留数が表示され、その第２特図保留数は４未満の場合に第２始動口１４ａに遊技球が入賞する毎に１加算される。
【００２６】
第１，第２特別図柄が変動停止状態で、第１特図保留数が１以上の場合、第２特図保留数が０の場合には、第１特図保留数が１減算されて第１特別図柄が変動開始され、その後の停止図柄で大当り抽選の結果が表示される。第１，第２特別図柄が変動停止状態で、第２特図保留数が１以上の場合、第１特図保留数に関わらず、第２特図保留数が１減算されて第２特別図柄が変動開始され、その後の停止図柄で大当り抽選の結果が表示される。
【００２７】
普図表示器２３ｃに普通図柄が変動可能に表示され、普図保留ランプ２３ｆに普図保留数が表示され、その普図保留数は４未満の場合にゲート１５を遊技球が通過する毎に１加算される。普通図柄が変動停止状態で、普図保留数が１以上の場合、普図保留数が１減算されて普通図柄が変動開始され、その後の停止図柄で当り抽選の結果が表示される。
【００２８】
図３に示すように、パチンコ遊技機１の制御装置３０は、遊技制御基板３１、払出制御基板３２、演出制御基板３３、画像制御基板３４、ランプ制御基板３５を備え、これら制御基板３１〜３５に夫々ＣＰＵとＲＯＭとＲＡＭを含むコンピュータを備えて構成され、更に演出制御基板３３にはＲＴＣ（「ＲＴＣ」はリアルタイムクロックを意味する）を備えて構成されている。
【００２９】
遊技制御基板３１のコンピュータは、始動口ＳＷ１３ａ，１４ｃ、ゲートＳＷ１５ａ、大入賞口ＳＷ１６ｃ，１７ｃ、一般入賞口ＳＷ１８ａからの検出信号、払出制御基板３２からの制御情報を受けて、始動口ＳＯＬ１４ｄ、大入賞口ＳＯＬ１６ｄ，１７ｄ、図柄表示器２３ａ〜２３ｃ、図柄保留ランプ２３ｄ〜２３ｆを制御し、払出制御基板３２、演出制御基板３３に制御情報を出力する。
【００３０】
払出制御基板３２のコンピュータは、遊技制御基板３１からの制御情報、払出球検出ＳＷ３６ｂ、球有り検出ＳＷ３６ｃ、満タン検出ＳＷ３６ｂからの検出信号を受けて、払出装置の払出モータ３６ａを制御し、遊技制御基板３１に制御情報を出力する。演出制御基板３３のコンピュータは、遊技制御基板３１、画像制御基板３４、ランプ制御基板３５からの制御情報、演出ボタン装置９からの検出信号を受けて、演出ボタン装置９を制御し、画像制御基板３４、ランプ制御基板３５に制御情報を出力する。
【００３１】
画像制御基板３４のコンピュータは、演出制御基板３３からの制御情報を受けて、画像表示器２１、スピーカ３７を制御し、演出制御基板３３に制御情報を出力する。ランプ制御基板３５のコンピュータは、演出制御基板２３からの制御情報、１対の発光装置６、可動役物装置２２からの検出信号を受けて、１対の発光装置６、可動役物装置２２、枠ランプ３８ａ、盤ランプ３８ｂを制御し、演出制御基板３３に制御情報を出力する。
【００３２】
演出制御基板３３、画像制御基板３４、及びランプ制御基板３５のコンピュータにより、演出用機器である画像表示器２１、スピーカ３７、演出ボタン装置９、１対の発光装置６、可動役物装置２２、枠ランプ３８ａ、及び盤ランプ３８ｂが制御され、これら演出用機器により、遊技球による遊技の進行に応じて当該遊技に伴う演出が行われる。
【００３３】
１対の発光装置６に関して詳しく説明する。
図１、図２に示すように、開閉扉４の上部に１対の発光装置６を収納可能な左右１対の待機部４ｄが設けられ、１対の発光装置６は、夫々、開閉扉４に対して進退可能に設けられ、進出時に開閉扉４内にある待機部４ｄから進出される図２に示す進出位置と、後退時に待機部４ｄに収納される図１に示す後退位置とをとり得るように構成されている。
【００３４】
パチンコ遊技機１は、１対の発光装置６に駆動力を伝達し、１対の発光装置６を夫々進出位置（図２）と後退位置（図１）とに亙って駆動する電動モータ７１（電動アクチュエータ７１）を有する左右１対の発光装置駆動機構７０（駆動手段７０）を備えている。尚、１対の発光装置６、１対の待機部４ｄ、１対の発光装置駆動機構７０は左右対称構造であり、以下、右側の発光装置６、待機部４ｄ、発光装置駆動機構７０について説明し、左側の発光装置６、待機部４ｄ、発光装置駆動機構７０については説明を省略する。
【００３５】
先ず、待機部４ｄについて説明する。
図１、図２に示すように、開閉扉４は窓４ａの周囲を形成する枠部分を有し、その枠部分の右上部に凹部からなる待機部４ｄが形成されている。尚、開閉扉４の枠部分の１対の待機部４ｄを除く上部及び両側部に枠ランプ３８ａが装備されている。待機部４ｄは前方に開放された凹部に形成され、後退位置にある発光装置６を収容して、その発光装置６の前側に向く第１光透過側板４０ｃを外部へ露出させる。
【００３６】
次に、発光装置６について説明する。
図４〜図１４に示すように、発光装置６は、ケーシング４０と、ケーシング４０に収容された２つの第１，第２固定発光装置４１，４２、及び大小２つの第１，第２可動発光装置４３，４４と、ケーシング４０に装着されて第１，第２可動発光装置４３，４４の一部を回転駆動する回転駆動機構４５とを備えている。開閉扉４に待機部４ｄの一部を形成するようにベース部材４６が固定的に設けられ、このベース部材４６に発光装置６が鉛直の軸部材４７を介して進出位置と後退位置とに亙って回動自在に支持されている。
【００３７】
ケーシング４０は、上板４０ａ、ベース側板４０ｂ、第１，第２光透過側板４０ｃ，４０ｄを有する。尚、図４、図５、図７、図１０において、上板４０ａ及び第１光透過側板４０ｃについては仮想線で示している。上板４０ａは台形状に形成されて水平に配設され、３つの側板４０ｂ〜４０ｄは夫々逆三角形状に形成されている。上板４０ａの外周端縁に３つの側板４０ｂ〜４０ｄの上端縁が結合され、３つの側板４０ｂ〜４０ｄはそれら隣接する側端縁同士が結合されている。
【００３８】
ケーシング４０はその内部空間が下方へ向かって窄むように形成され、その内部空間において、第１固定発光装置４１の下方に第１可動発光装置４３が配設され、その下方に第２可動発光装置４４が配設され、その下方に第２固定発光装置４２が配設されている。軸部材４７は、ベース側板４０ｂの右側側に固定されて、ベース部材４６に大小２つのブラケット４６ａ，４６ｂ等により回動自在に支持されている。
【００３９】
上板部４０ａとベース側板４０ｂの内面部に反射板（図示略）が設けられ、第１光透過側板４０ｃは半透明状の光透過部材により形成され、第２光透過側板４０ｄは透明板により形成されている。発光装置６が後退位置にあるとき、前記のように、第１光透過側板４０ｃは外部へ露出し、第２光透過側板４０ｄは待機部４ｄに完全に収納される。発光装置６が進出位置にあるとき、第１光透過側板４０ｃは外部へ露出したまま、第２光透過側板４０ｄは前方斜め左方へ向いて外部へ露出する。
【００４０】
第１光透過側板４０ｃの外周端縁は波形に形成され、その外周端縁が待機部４ｄの前端の外周端縁に第１光透過側板４０ｃの外周端縁と同形状に形成された波形形状部と近接して、発光装置６が後退位置になる。発光装置６が後退位置にあるときに、第１光透過側板４０ｃは全体的に待機部４ｄよりも前方へ膨出するが、第１光透過側板４０ｃの第２光透過側板４０ｄと接続される端縁の近傍部分は、その端縁に接近するほど後方に位置するように湾曲した湾曲部に形成されている。つまり、遊技者等が後退位置にある発光装置６（前記湾曲部）を無理に手で掴んで進出位置の方へ回動させにくいようにしている。
【００４１】
第１，第２可動発光装置４３，４４は主にサイズが異なり、それらの構成は基本的に同じである。故に、第１可動発光装置４３に関する構成を主体に説明し、第２可動発光装置４４に関する構成については、適宜、第１可動発光装置４３に関する構成と同一符号を付して説明を省略する。
【００４２】
図４、図５、図７、図１０〜図１３に示すように、第１可動発光装置４３は、発光装置６に内蔵されて光を発する複数（例えば、７つ）の発光源であるＬＥＤ５０（図１３参照）と、ＬＥＤ５０により一方向から発せられる光を入射し、入射角度とは異なる角度で照射する照射部材であるプリズム５１と、プリズム５１から照射された光を受けて演出に用いられる光として反射する反射鏡５２と、プリズム５１から照射された光を透過して演出に用いられる光とするレンズ５３とを備え、反射鏡５２及びレンズ５３がプリズム５１を挟むように対向状に設けられている。第１可動発光装置４３のＬＥＤ５０の数（７つ）は第２可動発光装置４４のＬＥＤ５０の数（５つ）よりも多い。
【００４３】
ベース側板４０ｂに基板５５（図１３参照）が固定され、この基板５５の表面に複数のＬＥＤ５０が実装されている。ベース側板４０ｂに基板５５及び複数のＬＥＤ５０の表側をカバーする短筒状の透明カバー５６が固定されている。プリズム５１は三角形ブロック状に形成されて、透明カバー５６の中心部の表面に固着され、このプリズム５１及び透明カバー５６の裏面側に複数（３つ）のＬＥＤ５０が配置されている。
【００４４】
ベース側板４０ｂの反射板に第１可動発光装置４３の取付穴が形成され、この取付穴から基板５５及び透明カバー板５６がケーシング４０の内部空間に臨み、発光装置６が後退位置にあるときに前方へ向くように配設されている。第２可動発光装置４４においては、プリズム５１及び透明カバー５６の裏面側に１つのＬＥＤ５０が配置されている。
【００４５】
第１可動発光装置４３は、複数のＬＥＤ５０、基板５５、及び透明カバー５６の周囲に回転自在に設けられた環状の回転部材５７を備えている。この回転部材５７は、基板５５（透明カバー５６）の面直交方向（発光装置６が後退位置にあるときの前後方向）の軸心回りに回転自在にベース側板４０ｂに支持され、基板５５及び透明カバー５６と同様に前記取付穴からケーシング４０の内部空間に臨んでいる。この回転部材５７に反射鏡５２及びレンズ５３が設けられ、回転駆動機構４５により回転部材５７が反射鏡５２及びレンズ５３と共に回転される。
【００４６】
反射鏡５２及びレンズ５３は、比較的大きく形成されて、発光装置６が後退位置のときに前方へ延びて、プリズム５１と共に、複数のＬＥＤ５０（透明カバー５６）の表側空間を挟むように対向している。反射鏡５２は、レンズ５３（プリズム５１）の方へ向く凹面鏡５２ａと、その反対方向へ向く凸面鏡５２ｂとを有し、レンズ５３は凸レンズに形成されている。尚、回転部材５７のケーシング４０の内部空間に臨む表面にも反射面が形成されている。
【００４７】
図４、図５、図１４等に示すように、回転駆動機構４５は、電動モータ６０と、互いに噛合する駆動ギヤ６１、２段中間ギヤ６２、従動ギヤ６３、中間ギヤ６４、従動ギヤ６５を備えている。電動モータ６０はベース側板４０ｂに設けられた取付ベース４０ｅに取付けられ、その電動モータ６０の出力軸６０ａに駆動ギヤ６１が固着されている。中間ギヤ６２，６４は取付ベース４０ｅに回転自在に支持されて、従動ギヤ６３，６５は、第１，第２可動発光装置４３，４４の回転部材５７の基端部に設けられている。従動ギヤ６３，６５は同径であり、故に、第１，第２可動発光装置４３，４４の回転部材５７は、同じ回転速度で同期して回転される。
【００４８】
尚、第１，第２固定発光装置４１，４２は、夫々、光を発する複数のＬＥＤ（図示略）と、このＬＥＤから発せられる光を透過して演出に用いられる光とする光透過部材４１ａ，４２ａとを備えている。光透過部材４１ａ，４２ａは断面長円形状に形成されて、取付ベース４０ｅに固定され、ケーシング４０の内部空間に臨んでいる。
【００４９】
次に、発光装置駆動機構７０について説明する。
図４〜図１０、図１５、図１６に示すように、発光装置駆動機構７０は、駆動力の伝達順に、電動モータ７１、スクリューギヤ７２、ウォームホイール７３を有する第１動力伝達部材７４、クラッチ７５、セクターギヤ７６を有する第２動力伝達部材７７、セクターギヤ７８を備えている。電動モータ７１はベース部材４６に前向きに取付けられている。
【００５０】
スクリューギヤ７２が電動モータ７１の出力軸７１ａに固着され、スクリューギヤ７２とウォームホイール７３とが互いに噛合しウォームギヤ機構を構成している。第１動力伝達部材７４が、ベース部材４６に支持された鉛直の回転軸７９に外嵌固着され、この回転軸７９を介してベース部材４６に回転自在に支持されている。
【００５１】
第２動力伝達部材７７は、第１動力伝達部材７４の上側において回転軸７９に回転自在に外嵌されている。つまり、第２動力伝達部材７７は、回転軸７９を介してベース部材４６に第１動力伝達部材７４の回転軸心と同心状に回転自在に且つその回転軸心方向（上下方向）へ移動自在に支持されて、第１動力伝達部材７４よりも駆動力の従動側に配設されている。セクターギヤ７６，７８が互いに噛合し、セクターギヤ７８は、ベース部材４６に回転自在に支持された軸部材４７の上部に外嵌固着されている。
【００５２】
クラッチ７５は、遊技者等が発光装置６を回動駆動中に無理に回動停止させた場合、或いは発光装置６を回動駆動停止中に無理に回動させた場合、発光装置６に所定以上の外力が付加された時に、電動モータ７１から発光装置６への駆動力を遮断する。具体的に、クラッチ７５は、第１，第２動力伝達部材７４，７７を結合して駆動力を第１動力伝達部材７４から第２動力伝達部材７７に伝達し、発光装置６を回動駆動させることが可能になり、第２動力伝達部材７７から第１動力伝達部材７４に所定以上の外力が作用した時に前記結合を解除して第１，第２動力伝達部材７４，７７の相対的な回転を許容する。
【００５３】
このクラッチ７５は、第２動力伝達部材７７を第１動力伝達部材７４の方（下方）へ付勢する付勢部材８０と、第１動力伝達部材７４のうち第２動力伝達部材７７と対向する上端面に設けられた第１ドッグクラッチ歯８１と、第２動力伝達部材７７のうち第１動力伝達部材７４と対向する下端面に設けられ、第１ドッグクラッチ歯８１と係合解除可能に係合する第２ドッグクラッチ歯８２とを備えている。
【００５４】
第１，第２ドッグクラッチ歯８１，８２は、夫々、多数の山形の歯を回転軸７９を中心に環状に並べて各歯が回転軸７９を中心とする径方向に延びるように形成したものである。これら第１，第２ドッグクラッチ歯８１，８２が係合して、第１，第２動力伝達部材７４，７７が結合されて一体的に回転可能となり、駆動力が第１動力伝達部材７４から第２動力伝達部材７７に伝達される。
【００５５】
第１，第２ドッグクラッチ歯８１，８２が係合した状態で、第２動力伝達部材７７から第１動力伝達部材７４に所定の外力が作用しても、スクリューギヤ７２とウォームホイール７３とからなる減速比が大きなウォームギヤ機構により、その外力は電動モータ７１には殆ど悪影響を与えない。つまり、所定の外力により電動モータ７１の出力軸７１ａが回転されることなく、電動モータ７１は正常に駆動され或いは駆動停止される。
【００５６】
そして、第２動力伝達部材７７から第１動力伝達部材７４に所定の外力が作用した時に、第２ドッグクラッチ歯８２の多数の歯の斜面が、それらと当接する第１ドッグクラッチ歯８１の多数の歯の斜面から反力を受け、その反力により第２動力伝達部材７７が付勢部材８０の付勢力に抗して僅かに回転しながら第１動力伝達部材７４から離隔する方向（上方）へ移動する。
【００５７】
これにより、第２ドッグクラッチ歯８２が第１ドッグクラッチ歯８１から係合解除して、第１，第２動力伝達部材７４，７７の相対的な回転が許容され、これら第１，第２動力伝達部材７４，７７の相対回転により、外力が第２ドッグクラッチ歯８２から第１ドッグクラッチ歯８１伝達されずに逃される。但し、第２ドッグクラッチ歯８２が第１ドッグクラッチ歯８１から係合解除した後、直ちに付勢部材８０により第１ドッグクラッチ歯８１に係合することになるが、そこで再度、第２動力伝達部材７７から第１動力伝達部材７４に所定の外力が作用した場合、前記同様、クラッチ７５が前記結合を解除するように作動する。
【００５８】
図４、図１０、図１５に示すように、発光装置駆動機構７０には捩じりバネ８５（付勢手段８５）が設けられ、その捩じりバネ８５は、発光装置６を後退位置側に（平面視にて時計回り方向へ）常に回動付勢する。この捩じりバネ８５は、発光装置６を開閉扉４に回動自在に支持する軸部材４７に外装され、弾性変形した状態で、捩じりバネ８５の一端部がベース部材４６に係止され、捩じりバネ８５の他端部が発光装置６（ケーシング４０のベース側板４０ｂ）に係止されている。
【００５９】
次に、発光装置６と発光装置駆動機構７０の作用・効果について説明する。
発光装置６の第１可動発光装置４３において、複数のＬＥＤ５０から発せられた光は、ケーシング４０の第１，第２光透過側板４０ｃ，４０ｄの何れかから外部へ進行するが、その過程で、プリズム５１で方向変換されたり、反射鏡５２で反射したり、レンズ５３を透過したり、ケーシング４０の上板４０ａ及びベース板側板４０ｂの反射板で反射したり、回転部材５７の反射面で反射したりする。
【００６０】
ここで、複数のＬＥＤ５０により一定方向（所定方向）に発せられた光（例えば、プリズム５１の裏面側に配置された３つのＬＥＤ５０により発せられた光）は、プリズム５１に入射されその入射角度とは異なる角度で照射される。反射鏡５２及びレンズ５３がプリズム５１を挟んで対向状に配置されているため、プリズム５１により一定方向に照射された光は、反射鏡５２（凹面鏡５２ａ）で反射したり、レンズ５３を透過したりし、その際、一旦反射鏡５２に反射してからレンズ５３を透過したりする。第２可動発光装置４４において、複数のＬＥＤ５０から発せられた光についても同様である。
【００６１】
このように、反射鏡５２及びレンズ５３をプリズム５１を挟んで対向状に配置したため、これらプリズム５１、反射鏡５２、及びレンズ５３の相乗効果により、更にケーシング４０の反射板等も協働して、複数のＬＥＤ５０から発せられた光は様々に方向を変えて分散したり収束したりして進行するため、より斬新で多彩な発光パターンを発生させることができ、光を用いた遊技の演出効果を高めることができる。
【００６２】
複数のＬＥＤ５０の周囲に回転部材５７を回転自在に設け、この回転部材５７に反射鏡５２及びレンズ５３を設け、回転部材５７をプリズム５１を中心にして回転させる回転駆動機構４５を設けた。従って、反射鏡５２及びレンズ５３をプリズム５１を挟んで対向状に配置する関係を維持して、反射鏡５２及びレンズ５３を回転させて位置変化させることができ、これにより、光の進行方向を動的に変化させて、一層多彩な発光パターンを発生させることができる。
【００６３】
発光装置６は、開閉扉４に対して進退可能に設けられ、進出時に開閉扉４内にある待機部４ｄから進出される進出位置と、後退時に待機部４ｄに収納される後退位置とをとり得るように構成され、この発光装置６に駆動力を伝達し、発光装置６を進出位置と後退位置とに亙って駆動する発光装置駆動機構７０を備えた。
【００６４】
依って、例えば、特定状態（例えば、大当り遊技状態）のときに発光装置６を進出位置に位置させ、特定状態以外の状態のときに発光装置６を後退位置に位置させることができる。そのために、特定状態の移行時に、発光装置駆動機構７０により発光装置６が後退位置から進出位置へ駆動され、特定状態の終了時に、発光装置駆動機構７０により発光装置６が進出位置から後退位置へ駆動される。
【００６５】
発光装置６において、その位置に関わらず、ケーシング４０の第１光透過側板４０ｃは常に外部へ露出するが、後退位置にあるとき、ケーシング４０の第２光透過側板４０ｄは待機部４ｄ内に収納され外部へ露出しない状態になる。故に、複数のＬＥＤ５０から発せられた光は第１光透過側板４０ｃだけから外部へ導出される。ここで、反射鏡５２及びレンズ５３を回転停止させることもできるし、回転させることもできる。
【００６６】
一方、発光装置６において、進出位置にあるとき、第１，第２光透過側板４０ｃ，４０ｄは共に外部へ露出した状態になり、複数のＬＥＤ５０から発せられた光は第１，第２光透過側板４０ｃ，４０ｄの両方から外部へ導出される。ここでも、反射鏡５２及びレンズ５３を回転停止させることもできるし、回転させることもできる。特に、発光装置６が進出位置にあるとき、複数のＬＥＤ５０を発光させた状態で、反射鏡５２及びレンズ５３を回転させることで、光を用いた派手でインパクトが高い遊技演出を実現できる。
【００６７】
発光装置駆動機構７０は、電動モータ７１を備えるとともに、この電動モータ７１から発光装置６（軸部材４７）に駆動力を伝達する、スクリューギヤ７２、ウォームホイール７３を有する第１動力伝達部材７４、クラッチ７５、セクターギヤ７６を有する第２動力伝達部材７７、セクターギヤ７８を備えた。
【００６８】
ここで、遊技者等が、発光装置駆動機構７０により駆動されている発光装置６を無理に移動停止させることにより、或いは、駆動停止されている発光装置６を無理に移動させることにより、発光装置６により外力が加えられることが想定される。この場合、スクリューギヤ７２とウォームホイール７３とからなる減速比が大きなウォームギヤ機構により、所定の外力により電動モータ７１の出力軸７１ａが回転されることなく、電動モータ７１は正常に駆動され或いは駆動停止される。故に、発光装置６や発光装置駆動機構７０が損傷する虞がある。
【００６９】
そこで、発光装置駆動機構７０に、発光装置６に所定以上の外力が付加された時に、電動モータ７１から発光装置６への駆動力を遮断するクラッチ７５を設けた。このクラッチ７５は、具体的に、第１，第２動力伝達部材７４，７７を結合して駆動力を第１動力伝達部材７４から第２動力伝達部材７７に伝達し、第２動力伝達部材７７から第１動力伝達部材７４に所定以上の外力が作用した時に前記結合を解除して第１，第２動力伝達部材７４，７７の相対的な回転を許容する。
【００７０】
従って、発光装置６に所定以上の外力が付加され、第２動力伝達部材７７から第１動力伝達部材７４に所定以上の外力が作用した時に、クラッチ７５が第１，第２動力伝達部材７４，７７の結合を解除し相対的な回転を許容するため、その外力を逃して、発光装置６や発光装置駆動機構７０が損傷するのを確実に防止することができる。
【００７１】
第２動力伝達部材７７がベース部材４６に回転軸７９を介して上下方向へ移動自在に支持され、クラッチ７５は、第２動力伝達部材７７を下方へ付勢する付勢部材８０と、第１動力伝達部材７４の上端面に設けられた第１ドッグクラッチ歯８１と、第２動力伝達部材７７の下端面に設けられ、第１ドッグクラッチ歯８１と係合解除可能に係合する第２ドッグクラッチ歯８２とを備えた。従って、通常時に第１，第２動力伝達部材７４，７７を確実に結合し、第２動力伝達部材７７から第１動力伝達部材７４に所定以上の外力が作用した時に、第１，第２動力伝達部材７４，７７の結合を確実に解除することができる。
【００７２】
発光装置駆動機構７０に、発光装置６を後退位置側に常に付勢する付勢部材８５を設けた。従って、発光装置６を駆動停止状態で後退位置に確実に保持することができる。即ち、発光装置６が駆動停止された状態で後退位置に確実に保持されなければ、発光装置６が後退位置から進出位置の方へ位置した状態で停止する虞がある。そうなると、発光装置６の見栄えが悪くなり、また、遊技者が駆動停止された発光装置６を無理に掴んで移動させ易くなり、これにより、発光装置６や発光装置駆動機構７０が損傷することも懸念される。こうした課題を捩じりバネ８５を設けることで改善することができる。
【００７３】
捩じりバネ８５は、発光装置６を開閉扉４に対して回動可能に支持する軸部材４７に外装されている。従って、この捩じりバネ８５をコンパクトに配設して、発光装置６を後退位置側に常に確実に付勢することができる。
【００７４】
その他、本発明の趣旨を逸脱しない範囲において、前記開示事項以外の種々の構成を付加して実施可能である。例えば、演出ボタン装置９の演出ボタン９ａを可動演出装置とし、この演出ボタン９ａを発光装置駆動機構７０に相当する駆動機構により進出位置と待機位置とに亙って駆動するようにしてもよい。本発明の発光装置、及び発光装置駆動機構については、種々のパチンコ遊技機に適用可能であり、更に、パチンコ遊技機以外のスロットマシン等の種々の遊技機に適用可能である。
【符号の説明】
【００７５】
１  パチンコ遊技機
２  外枠
３  開閉枠
４  開閉扉
４ｄ  待機部
６  発光装置
４５  回転駆動機構
４７  軸部材
５０  ＬＥＤ
５１  プリズム
５２  反射鏡
５３  レンズ
５７  回転部材
７０  発光装置駆動機構
７１  電動モータ
７４  第１動力伝達部材
７５  クラッチ
７７  第２動力伝達部材
８０  付勢部材
８１  第１ドッグクラッチ歯
８２  第２ドッグクラッチ歯
８５  捩じりバネ
【図１】
2013116187.tif 000003
【図２】
2013116187.tif 000004
【図３】
2013116187.tif 000005
【図４】
2013116187.tif 000006
【図５】
2013116187.tif 000007
【図６】
2013116187.tif 000008
【図７】
2013116187.tif 000009
【図８】
2013116187.tif 000010
【図９】
2013116187.tif 000011
【図１０】
2013116187.tif 000012
【図１１】
2013116187.tif 000013
【図１２】
2013116187.tif 000014
【図１３】
2013116187.tif 000015
【図１４】
2013116187.tif 000016
【図１５】
2013116187.tif 000017
【図１６】
2013116187.tif 000018
【手続補正書】
【提出日】平成25年2月7日(2013.2.7)
【手続補正１】
【補正対象書類名】明細書
【補正対象項目名】００１０
【補正方法】変更
【補正の内容】
【００１０】
第１の発明（遊技機）は、光を用いる演出を行う発光装置(6)を備えた遊技機(1)において、前記発光装置(6)に内蔵されて光を発する発光源(50)と、前記発光源(50)により一方向から発せられる光を入射し、入射角度とは異なる角度で照射する照射部材(51)と、前記照射部材(51)から照射された光を受けて演出に用いられる光として反射する反射鏡(52)と、前記照射部材(51)から照射され前記反射鏡(52)で反射された光を透過して演出に用いられる光とするレンズ(53)とを備え、前記反射鏡(52)及び前記レンズ(53)を、前記照射部材(51)を挟むように対向状に配置したことを特徴とする。
【手続補正２】
【補正対象書類名】明細書
【補正対象項目名】００３９
【補正方法】変更
【補正の内容】
【００３９】
上板４０ａとベース側板４０ｂの内面部に反射板（図示略）が設けられ、第１光透過側板４０ｃは半透明状の光透過部材により形成され、第２光透過側板４０ｄは透明板により形成されている。発光装置６が後退位置にあるとき、前記のように、第１光透過側板４０ｃは外部へ露出し、第２光透過側板４０ｄは待機部４ｄに完全に収納される。発光装置６が進出位置にあるとき、第１光透過側板４０ｃは外部へ露出したまま、第２光透過側板４０ｄは前方斜め左方へ向いて外部へ露出する。
【手続補正３】
【補正対象書類名】明細書
【補正対象項目名】００４４
【補正方法】変更
【補正の内容】
【００４４】
ベース側板４０ｂの反射板に第１可動発光装置４３の取付穴が形成され、この取付穴から基板５５及び透明カバー５６がケーシング４０の内部空間に臨み、発光装置６が後退位置にあるときに前方へ向くように配設されている。第２可動発光装置４４においては、プリズム５１及び透明カバー５６の裏面側に１つのＬＥＤ５０が配置されている。
【手続補正４】
【補正対象書類名】特許請求の範囲
【補正対象項目名】全文
【補正方法】変更
【補正の内容】
【特許請求の範囲】
【請求項１】
光を用いる演出を行う発光装置を備えた遊技機において、
前記発光装置に内蔵されて光を発する発光源と、
前記発光源により一方向から発せられる光を入射し、入射角度とは異なる角度で照射する照射部材と、
前記照射部材から照射された光を受けて演出に用いられる光として反射する反射鏡と、
前記照射部材から照射され前記反射鏡で反射された光を透過して演出に用いられる光とするレンズとを備え、
前記反射鏡及び前記レンズを、前記照射部材を挟むように対向状に配置したことを特徴とする遊技機。
【請求項２】
前記発光源の周囲に回転自在に設けられ、回転駆動機構により前記照射部材を中心にして回転される回転部材を備え、
前記反射鏡及びレンズが前記回転部材に設けられたことを特徴とする請求項１に記載の遊技機。